(57)【特許請求の範囲】
【請求項１】
球状の内容物を収容する球状物用容器であって、
前記内容物の収容空間と該内容物よりも大径の吐出口とを備える容器本体と、
前記吐出口に周方向に並べて設けられ、それぞれ前記吐出口の径方向内側に向けて突出して先端が前記内容物の直径よりも小径の仮想円上に配置される複数の弾性変形可能な薄歯片とを有し、
前記容器本体が、前記収容空間を形成する胴部と該胴部に連なる口部とを有するボトル形状に形成されるとともに前記口部に装着されて前記吐出口を構成する樹脂製のキャップを備え、
複数の前記薄歯片が、弾性体により円筒状に形成されて前記キャップの先端に固定される基体部に一体に設けられていることを特徴とする球状物用容器。
【請求項２】
球状の内容物を収容する球状物用容器であって、
前記内容物の収容空間と該内容物よりも大径の吐出口とを備える容器本体と、
前記吐出口に周方向に並べて設けられ、それぞれ前記吐出口の径方向内側に向けて突出して先端が前記内容物の直径よりも小径の仮想円上に配置される複数の弾性変形可能な薄歯片とを有し、
前記容器本体が、前記収容空間を形成する胴部と該胴部に連なる口部とを有するボトル形状に形成されるとともに前記口部に装着されて前記吐出口を構成する樹脂製のキャップを備え、
前記キャップに、弱化部を介して該キャップに一体に連結されて前記吐出口を閉塞する抜栓部が設けられていることを特徴とする球状物用容器。
【請求項３】
複数の前記薄歯片が、前記キャップの前記抜栓部よりも外側部分に設けられている、請求項２に記載の球状物用容器。
【請求項４】
複数の前記薄歯片が、前記キャップの前記抜栓部よりも内側部分に設けられている、請求項２に記載の球状物用容器。
【請求項５】
前記吐出口から吐出された内容物を保持可能な深さの有頂筒状に形成された蓋体が、ヒンジを介して前記キャップに開閉可能に装着されている、請求項１〜４の何れか一項に記載の球状物用容器。
【発明の詳細な説明】
【技術分野】
【０００１】
本発明は、球状の内容物を収容する球状物用容器に関し、特に、内容物を１つずつ取り出すことができるようにしたものに関する。
【背景技術】
【０００２】
従来、球状の内容物を収容する容器としては、パウチ袋や広口瓶、蓋付きのケース体などが用いられていた（例えば特許文献１参照）。これらの容器では、蓋を空けた状態で容器を傾けて内容物を容器から吐出させて手に取り出したり、開口部から容器の内部に手を入れて内容物を直接取り出したりしていた。
【先行技術文献】
【特許文献】
【０００３】
【特許文献１】特開２０１２−１７１６８５号公報
【発明の概要】
【発明が解決しようとする課題】
【０００４】
しかしながら、従来の球状物用容器では、球状の内容物は転がり易いことから、容器を傾けて内容物を取り出そうとすると、内容物を１つずつ取り出したい場合でも容器から余分に内容物が吐出されてしまうことがある。また、容器の開口部から容器の内部に手を入れて内容物を直接取り出す場合では、他の内容物に手が触れてしまうおそれがあるという問題点がある。このような面から、球状の内容物を容易に１つずつ取り出すことが可能な容器が求められていた。
【０００５】
本発明は、このような問題点を解決することを課題とするものであり、その目的は、球状の内容物を容易に１つずつ取り出すことができる球状物用容器を提供することにある。
【課題を解決するための手段】
【０００６】
本発明の球状内容物用容器は、球状の内容物を収容する球状物用容器であって、前記内容物の収容空間と該内容物よりも大径の吐出口とを備える容器本体と、前記吐出口に周方向に並べて設けられ、それぞれ前記吐出口の径方向内側に向けて突出して先端が前記内容物の直径よりも小径の仮想円上に配置される複数の弾性変形可能な薄歯片とを有し、前記容器本体が、前記収容空間を形成する胴部と該胴部に連なる口部とを有するボトル形状に形成されるとともに前記口部に装着されて前記吐出口を構成する樹脂製のキャップを備え、複数の前記薄歯片が、弾性体により円筒状に形成されて前記キャップの先端に固定される基体部に一体に設けられていることを特徴とする。
【００１０】
本発明の球状内容物用容器は、球状の内容物を収容する球状物用容器であって、前記内容物の収容空間と該内容物よりも大径の吐出口とを備える容器本体と、前記吐出口に周方向に並べて設けられ、それぞれ前記吐出口の径方向内側に向けて突出して先端が前記内容物の直径よりも小径の仮想円上に配置される複数の弾性変形可能な薄歯片とを有し、前記容器本体が、前記収容空間を形成する胴部と該胴部に連なる口部とを有するボトル形状に形成されるとともに前記口部に装着されて前記吐出口を構成する樹脂製のキャップを備え、前記キャップに、弱化部を介して該キャップに一体に連結されて前記吐出口を閉塞する抜栓部が設けられていることを特徴とする。
【００１１】
本発明の球状内容物用容器は、上記構成において、複数の前記薄歯片が、前記キャップの前記抜栓部よりも外側部分に設けられた構成とすることができる。
【００１２】
本発明の球状内容物用容器は、上記構成において、複数の前記薄歯片が、前記キャップの前記抜栓部よりも内側部分に設けられた構成とすることができる。
【００１３】
本発明の球状内容物用容器は、上記構成において、前記吐出口から吐出された内容物を保持可能な深さの有頂筒状に形成された蓋体が、ヒンジを介して前記キャップに開閉可能に装着されているのが好ましい。
【発明の効果】
【００１４】
本発明によれば、容器本体を傾けて吐出口から球状の内容物を吐出させる際に、内容物を複数の薄歯片によって吐出口に一旦保持することができるので、内容物が吐出口から連続的に吐出されることを防止して、容器本体の吐出口から内容物を容易に１つずつ取り出すことができる。このように、本発明によれば、球状の内容物を容易に１つずつ取り出すことができる球状物用容器を提供することができる。
【図面の簡単な説明】
【００１５】
【図１】本発明の一実施の形態である球状物用容器の一部切り欠き断面図である。
【図２】（ａ）は図１に示す球状物用容器の要部を拡大して示す断面図であり、（ｂ）は同図（ａ）におけるＡ−Ａ線に沿う断面図である。
【図３】図１に示す球状物用容器の、複数の薄歯片によって球状の内容物を吐出口に保持した状態を示す断面図である。
【図４】図１に示す球状物用容器の、容器本体の吐出口から球状の内容物を吐出した状態の断面図である。
【図５】図１に示す球状物用容器の変形例であって、複数の薄歯片をキャップの抜栓部よりも外側部分に設けた場合を示す断面図である。
【図６】図５に示すキャップの蓋体を開いた状態の平面図である。
【図７】図１に示す球状物用容器の変形例であって、複数の薄歯片をキャップの抜栓部よりも内側部分に設けた場合を示す断面図である。
【図８】図７に示すキャップの蓋体を開いた状態の底面図である。
【発明を実施するための形態】
【００１６】
以下、図面を参照して本発明をより詳細に例示説明する。
【００１７】
図１に示す本発明の一実施の形態である球状物用容器１は、複数の球状の内容物Ｍを収容するとともに当該内容物Ｍを１つずつ取り出すことができるようにしたものである。この球状物用容器１は、例えば、栄養剤や薬剤等を収容した球状のカプセル、飴玉やボール状のガム等の球状の菓子、球状に固められた入浴剤や洗剤、液体の洗剤や入浴剤等を収容した球状のカプセルなど、球状の外形を有しているものであれば様々な球状物を内容物Ｍとして収容することができる。これらの内容物Ｍの直径は、例えば１５〜２５ｍｍ程度のものとすることができるが、これに限らず、種々の直径の内容物Ｍを収容することもできる。
【００１８】
図１に示すように、この球状物用容器１は容器本体２を有している。図示する場合では、容器本体２は有底筒状の胴部２ａと、この胴部２ａに連なる口部２ｂとを有するボトル形状に形成されている。このようなボトル形状の容器本体２は、例えばブロー成形により形成された合成樹脂製のものとすることができる。なお、容器本体２としては、合成樹脂製のボトルに限らず、合成樹脂製の他の形状のものや、ガラス瓶、パウチ袋などで構成された各種形状のものを採用することもできる。
【００１９】
容器本体２の胴部２ａの内部は収容空間Ｓとなっており、この収容空間Ｓに複数の内容物Ｍを収容することができる。一方、口部２ｂは内容物Ｍの直径よりも大きな内径を有する円筒状に形成されており、この口部２ｂを通して収容空間Ｓに内容物Ｍを入れ、また、収容空間Ｓから外部に内容物Ｍを吐出させることができる。
【００２０】
容器本体２の口部２ｂには合成樹脂製のキャップ３が装着されている。図２に示すように、このキャップ３は、内筒部３ａと外筒部３ｂとの間に下向きに開口する環状の装着溝３ｃを有しており、口部２ｂに打栓されて装着溝３ｃが口部２ｂにアンダーカット係合することにより、口部２ｂに強固に固定されている。
【００２１】
口部２ｂに固定されたキャップ３は、その内筒部３ａの内側部分に容器本体２の吐出口４を構成している。この吐出口４は、円筒形状に形成された内筒部３ａの軸心に沿って延びるとともに球状の内容物Ｍの直径よりも大きい内径に形成されている。すなわち、収容空間Ｓに収容された内容物Ｍを、吐出口４から容器本体２の外部に取り出すことができる。なお、吐出口４の内径は内容物Ｍの直径の２倍以下となっており、同時に２つ以上の内容物Ｍが吐出口４を通過することはできないようになっている。本実施の形態においては、吐出口４は、その内径が内容物Ｍの直径よりも僅かに大きい程度に形成されている。
【００２２】
キャップ３は抜栓部５を備えた抜栓タイプとすることができる。抜栓部５は薄い板状に形成され、キャップ３の内周面に沿って延びる抜栓部５よりも薄い線状の弱化部６を介してキャップ３の内周面に一体に連結されている。抜栓部５の容器本体２の外側を向く表面には指を係止可能なプルリング５ａが一体に設けられており、このプルリング５ａに指を掛けて引くことにより、弱化部６つまりキャップ３の内周面に沿って抜栓部５をキャップ３から切り離すことができるようになっている。このような構成により、流通時等においては、収容空間Ｓに内容物Ｍを収容した容器本体２の吐出口４を抜栓部５により閉塞（密封）しつつ、内容物Ｍを取り出す際には、プルリング５ａを引いて抜栓部５をキャップ３から切り離すことで吐出口４を開栓させることができる。
【００２３】
キャップ３はヒンジ７を介して蓋体８が開閉自在に装着されたヒンジキャップに構成することもできる。蓋体８は、内容物Ｍをその内部に保持可能な深さの有頂筒状（カップ状）に形成されており、キャップ３の上部に覆い被さって吐出口４を閉塞することができるとともに、容器本体２を傾けて吐出口４から内容物Ｍを吐出させたときに、当該内容物Ｍを受け止めてその内部に内容物Ｍを保持することができるようになっている（図３参照）。
【００２４】
本発明の球状物用容器１では、容器本体２を傾けて内容物Ｍを吐出口４から吐出させる際にその内容物Ｍを吐出口４で一旦保持するために、吐出口４に複数の薄歯片１０を設けるようにしている。本実施の形態においては、吐出口４に１２枚の薄歯片１０が設けられているが、便宜上、図１〜図４において、１つの薄歯片１０にのみ符号を付してある。なお、薄歯片１０の枚数は１２枚に限らず、後述する内容物Ｍを保持する機能と弾性変形により内容物Ｍを通過させる機能とを発揮することができれば任意の枚数とすることができる。
【００２５】
これらの薄歯片１０は、それぞれ、例えば、軟質ポリエチレン（低密度ポリエチレン）等の軟材質や、ゴム、エラストマー等の弾性体により、断面が三角形で基端から先端に向けて先細りとなる細長くて薄い板状に形成されており、図２（ｂ）に示すように、キャップ３の上端つまり吐出口４の開口端に周方向に等間隔に並べて配置されている。また、図２（ａ）に示すように、複数の薄歯片１０は、それぞれ吐出口４の開口端から当該吐出口４の径方向内側に向けて斜め上方に突出し、吐出口４の開口に覆い被さっている。そして、複数の薄歯片１０の先端は、図２（ｂ）に示すように、それぞれ内容物Ｍの直径よりも小さい直径の仮想円Ｃ上に配置されている。つまり、吐出口４の内容物Ｍが通過する通過経路上に複数の薄歯片１０が突出している。これにより、複数の薄歯片１０は、吐出口４に入り込んだ内容物Ｍに当接して、当該内容物Ｍを吐出口４に保持することができる。また、複数の薄歯片１０は、それぞれ吐出口４の径方向外側ないし軸方向に向けて弾性変形自在となっており、吐出口４に保持された内容物Ｍに吐出口４の外側に向けた荷重が加えられると、当該荷重により弾性変形して内容物Ｍの保持を解除して当該内容物Ｍを吐出口４から外部に吐出させることができるようになっている。
【００２６】
本実施の形態においては、図２（ａ）に示すように、複数の薄歯片１０は、軟質ポリエチレン等の軟材質やゴム、エラストマー等の弾性体、つまり複数の薄歯片１０と同一の材質により円筒状に形成された基体部１１の軸方向端面に一体に設けられている。そして、この基体部１１がキャップ３の上端に形成された嵌合溝３ｄに嵌合固定されることにより、複数の薄歯片１０が吐出口４を構成するキャップ３に設けられるようになっている。このような構成とすることにより、複数の薄歯片１０を簡単な構成で容器本体２の吐出口４に設けることができる。また、複数の薄歯片１０をゴムやエラストマー等の弾性体で形成する場合には、複数の薄歯片１０を、キャップ３を構成する軟質ポリエチレン等の合成樹脂材料よりも弾性変形が容易な材質で形成することが可能となる。
【００２７】
次に、このような構成の球状物用容器１の使用方法について説明する。
【００２８】
球状の内容物Ｍは、容器本体２の口部２ｂにキャップ３が打栓される前に容器本体２の口部２ｂから収容空間Ｓに収容される。その後、抜栓部５を備えたキャップ３が口部２ｂに打栓されて内容物Ｍを収容した容器本体２が密封される。
【００２９】
この球状物用容器１からは球状の内容物Ｍを１つずつ取り出すことができる。内容物Ｍを取り出す際には、まず、蓋体８を開いてプルリング５ａを引き、抜栓部５をキャップ３から切り離して吐出口４を開放する。これにより、球状物用容器１が開封され、容器本体２の収容空間Ｓから内容物Ｍを取り出せる状態となる。
【００３０】
次に、蓋体８を半開きとした状態で容器本体２を傾ける。図３に示すように、容器本体２を傾けることで、容器本体２の収容空間Ｓに収容されている内容物Ｍを吐出口４に入り込ませるとともに複数の薄歯片１０に当接させて吐出口４に保持させることができる。このとき、吐出口４は内容物Ｍの直径よりも僅かに大きい内径に形成されているので、吐出口４に２つの内容物Ｍが同時に入り込むことはなく、１つずつ順に吐出口４に入り込むことになる。なお、図示する場合では、容器本体２を倒立姿勢にまで傾けるようにしているが、内容物Ｍを吐出口４に導くことができる傾斜角度に傾ければよい。
【００３１】
次に、図３に示すように内容物Ｍが複数の薄歯片１０によって吐出口４に保持されている状態で、容器本体２を口部２ｂないし吐出口４の軸方向に沿って振り、図４に示すように、複数の薄歯片１０により吐出口４に保持されている内容物Ｍをこれに隣接する次の内容物Ｍによって押し出させる。すなわち、容器本体２を振ることで、吐出口４に保持されている内容物Ｍに対して次の内容物Ｍから吐出口４の外側に向けた衝撃荷重を加え、この荷重により複数の薄歯片１０を径方向外側ないし軸方向に向けて弾性変形させて、吐出口４に保持されていた内容物Ｍを吐出口４から外部に吐出させることができる。このようにして複数の薄歯片１０によって保持されていた内容物Ｍが吐出口４から外部に吐出されると、次の内容物Ｍが吐出口４に入り込むことになるが、その内容物Ｍは複数の薄歯片１０により吐出口４に保持されて前の内容物Ｍに続いて吐出口４から吐出されることはなく、よって内容物Ｍは吐出口４から１つずつ吐出されることになる。
【００３２】
なお、図３に示すように、複数の薄歯片１０によって吐出口４に保持されている内容物Ｍを、容器本体２を振るのではなく、当該内容物Ｍを直接指で摘んで引き出すことで吐出口４から取り出すこともできる。この場合においても、複数の薄歯片１０によって保持されていた内容物Ｍが指で摘んで引き出されると、次の内容物Ｍは複数の薄歯片１０により吐出口４に保持されるので、内容物Ｍを吐出口４から１つずつ指で摘んで取り出すことができる。
【００３３】
このように、本発明の球状物用容器１では、容器本体２を傾けて吐出口４から球状の内容物Ｍを吐出させる際に、複数の薄歯片１０によって内容物Ｍを吐出口４に一旦保持し、内容物Ｍが吐出口４から連続的に吐出されることを防止することができるので、容器本体２の吐出口４から内容物Ｍを容易に１つずつ取り出すことができる。また、複数の薄歯片１０によって内容物Ｍを吐出口４に一旦保持した状態で容器本体２を振ることで当該内容物Ｍを次の内容物Ｍによって押して吐出口４から吐出させることができるので、容器本体２を傾けて振るだけのさらに簡単な操作で球状の内容物Ｍを容器本体２の吐出口４から１つずつ取り出すことができる。
【００３４】
また、内容物Ｍを保持可能な深さの有頂筒状に形成された蓋体８をキャップ３に設けることにより、図４に示すように、吐出口４から吐出された内容物Ｍを蓋体８により保持することができる。このような構成により、吐出口４から内容物Ｍが不意に吐出されたとしても、その内容物Ｍを蓋体８により保持して床等へ落下することを防止することができる。
【００３５】
さらに、本実施の形態のように、容器本体２の吐出口４を密封する抜栓部５を備えたキャップ３に複数の薄歯片１０を設けた構成とすることにより、内容物Ｍを一旦保持するための薄歯片１０を簡単な構成かつ低コストで吐出口４に設けることができる。
【００３６】
図５は図１に示す球状物用容器の変形例であって、複数の薄歯片をキャップの抜栓部よりも外側部分に設けた場合を示す断面図であり、図６は図５に示すキャップの蓋体を開いた状態の平面図である。また、図７は図１に示す球状物用容器の変形例であって、複数の薄歯片をキャップの抜栓部よりも内側部分に設けた場合を示す断面図であり、図８は図７に示すキャップの蓋体を開いた状態の底面図である。なお、図５〜図８においては、前述した部材に対応する部材には同一の符号を付し、再度の説明は適宜省略する。
【００３７】
図１〜図４に示す場合では、キャップ３に嵌合固定される基体部１１に複数の薄歯片１０を一体に設ける構成としているが、図５〜図８に示すように、複数の薄歯片１０をキャップ３と一体に設けた構成とすることもできる。本実施の形態では、キャップ３と複数の薄歯片１０を軟質ポリエチレン等の比較的柔軟な合成樹脂材料で一体に形成するようにしているが、これらを他の合成樹脂材料で一体に形成することもできる。
【００３８】
図５、図６に示す変形例では、複数の薄歯片１０を、キャップ３の抜栓部５が設けられた部分よりも外側部分つまり抜栓部５よりも吐出口４の出口側の部分に一体に設けるようにしている。より具体的には、複数の薄歯片１０を、キャップ３の吐出口４の開口端の部分に一体に設けるようにしている。
【００３９】
図５、図６に示す変形例では、複数の薄歯片１０は、図１に示す場合よりも長さが短い矩形の板状に形成され、その枚数も図１に示す場合よりも多くなっている。なお、本実施の形態では、３６枚の薄歯片１０が設けられるが、図５、図６においては便宜上、１つの薄歯片１０にのみ符号を付している。
【００４０】
この変形例においても、図１〜図４に示す場合と同様に、複数の薄歯片１０は、それぞれ吐出口４の開口端に周方向に等間隔に並べて設けられ、吐出口４の径方向内側に向けて斜め上方に突出し、吐出口４の開口に覆い被さっている。そして、複数の薄歯片１０の先端は、それぞれ内容物Ｍの直径よりも小さい直径の仮想円Ｃ上に配置されている。これにより、複数の薄歯片１０は、吐出口４に入り込んだ内容物Ｍに当接して、当該内容物Ｍを吐出口４に保持することができる。また、複数の薄歯片１０は、それぞれ吐出口４の径方向外側ないし軸方向に向けて弾性変形自在となっており、吐出口４に保持された内容物Ｍに吐出口４の外側に向けた荷重が加えられると、当該荷重により弾性変形して内容物Ｍの保持を解除して当該内容物Ｍを吐出口４から外部に吐出させることができる。
【００４１】
この変形例では、上記のように、複数の薄歯片１０をキャップ３ともに軟質ポリエチレンのような比較的柔軟な合成樹脂材料で形成するようにしており、そのため、薄歯片１０の先端が配置される仮想円Ｃの直径は、図１〜図４に示す場合に比べて大きく、内容物Ｍの直径よりも僅かに小径となる程度に設定されている。これにより、複数の薄歯片１０をキャップ３ともに合成樹脂材料で形成するようにしても、内容物Ｍを吐出口４に保持しつつ、容器本体２が振られて吐出口４に保持された内容物Ｍに吐出口４の外側に向けた荷重が加えられたときに薄歯片１０を弾性変形させて内容物Ｍを外部に吐出させることができる。
【００４２】
一方、図７、図８に示す変形例では、複数の薄歯片１０を、キャップ３の抜栓部５が設けられた部分よりも内側部分つまり抜栓部５よりも収容空間Ｓの側の部分に一体に設けるようにしている。より具体的には、複数の薄歯片１０を、キャップ３の吐出口４の下端部分に一体に設けるようにしている。
【００４３】
図７、図８に示す変形例においても、複数の薄歯片１０は、図１に示す場合よりも長さが短い矩形の板状に形成され、その枚数も図１に示す場合よりも多くなっている。なお、本実施の形態では３６枚の薄歯片１０が設けられるが、図７、図８においては便宜上、１つの薄歯片１０にのみ符号を付している。
【００４４】
この変形例においては、複数の薄歯片１０は、それぞれ吐出口４の開口端に周方向に等間隔に並べて設けられ、吐出口４の径方向内側に向けて斜め上方に突出し、吐出口４の入り口側端において吐出口４に覆い被さっている。図７に二点鎖線で示すように、それぞれの薄歯片１０はキャップ３とともに合成樹脂材料によって一体成形されたときには斜め下方に向けた形状とされ、その下方側（収容空間Ｓの側）を向く下面には周方向に沿って溝１２が設けられている。そして、図７中に実線で示すように、それぞれの薄歯片１０を、この溝１２を起点として上方に向けて折り曲げることにより、各薄歯片１０を斜め上向きの形状に形成するようにしている。このようにして形成された複数の薄歯片１０の先端も、図８に示すように、それぞれ内容物Ｍの直径よりも小さい直径の仮想円Ｃ上に配置されている。これにより、複数の薄歯片１０は、吐出口４に入り込んだ内容物Ｍに上向きに折れ曲がった状態で当接して、当該内容物Ｍを吐出口４に保持することができるとともに、溝１２を支点とした弾性力（復元力）により内容物４を確実に保持することができる。また、複数の薄歯片１０は、それぞれ、溝１２の部分においてさらに折れ曲がることができるように弾性変形自在となっており、吐出口４に保持された内容物Ｍに吐出口４の外側に向けた荷重が加えられると、当該荷重により弾性変形して内容物Ｍの保持を解除して当該内容物Ｍを吐出口４から外部に吐出させることができる。
【００４５】
本発明は前記実施の形態に限定されるものではなく、その要旨を逸脱しない範囲で種々変更可能であることはいうまでもない。
【００４６】
例えば、前記実施の形態においては、複数の薄歯片１０をそれぞれ弾性体またはキャップ３と同一の合成樹脂材料で形成するようにしているが、これに限らず、薄歯片１０を弾性変形することができる形態に形成することができれば、他の材質で形成されたものとすることもできる。
【００４７】
また、薄歯片１０の形状も、内容物Ｍを保持しつつ弾性変形により当該保持を解除することができる形状であれば、種々変更可能である。
【００４８】
さらに、複数の薄歯片１０を基体部１１と一体に形成してキャップ３に取り付ける構成とした場合においても、複数の薄歯片１０を抜栓部５よりも内側部分に設ける構成とすることもできる。
【符号の説明】
【００４９】
１    球状物用容器
２    容器本体
２ａ  胴部
２ｂ  口部
３    キャップ
３ａ  内筒部
３ｂ  外筒部
３ｃ  装着溝
３ｄ  嵌合溝
４    吐出口
５    抜栓部
５ａ  プルリング
６    弱化部
７    ヒンジ
８    蓋体
１０    薄歯片
１１    基体部
１２    溝
Ｍ    内容物
Ｓ    収容空間
Ｃ    仮想円
【図１】
0006504942.tif 000002
【図２】
0006504942.tif 000003
【図３】
0006504942.tif 000004
【図４】
0006504942.tif 000005
【図５】
0006504942.tif 000006
【図６】
0006504942.tif 000007
【図７】
0006504942.tif 000008
【図８】
0006504942.tif 000009